(57)【要約】【課題】子機間における内線通話を行う際に応答性および操作性に優れた電話装置を提供する。【解決手段】公衆電話回線２８を通じて相手先と通信可能な親機１と、この親機１に接続可能な複数の子機２とを備え、子機２は、子機２以外の他の子機２Ｂと内線通話を行う際、親機１に対して他の子機２Ｂの登録情報を要求し、その要求に応じて親機１から送られる他の子機２Ｂの登録情報を、ユーザによって他の子機２Ｂのいずれかを選択する際の選択情報として表示する。【選択図】　図４
2004120209.tif 000002
【特許請求の範囲】
【請求項１】
回線を通じて相手先と通信可能な親機と、この親機に接続可能な複数の子機とを備える電話装置であって、
前記子機は、
前記子機以外の他の子機と内線通話を行う際、前記親機に対して前記他の子機の登録情報を要求する要求手段と、
前記要求手段による要求に応じて前記親機から送られる前記他の子機の登録情報を、ユーザによって前記他の子機のいずれかを選択する際の選択情報として表示する表示手段とを有することを特徴とする電話装置。
【請求項２】
前記子機は、
ユーザによって、前記表示手段によって表示された前記他の子機の登録情報の中から前記他の子機の一つを選択入力可能な選択入力手段と、
前記親機から送られる前記他の子機の登録情報を参照し、前記選択入力手段によって選択入力された前記他の子機が未登録の子機であるとき、エラーである旨を報知する報知手段とをさらに有する、請求項１に記載の電話装置。
【請求項３】
前記親機は、
前記子機から前記他の子機の登録情報の要求を受けた際、前記他の子機に対して個別情報を要求する個別情報要求手段と、
前記個別情報要求手段による要求に応じて前記他の子機から送られる個別情報を、前記子機に対して送信する送信手段とを有する、請求項１または２に記載の電話装置。
【請求項４】
前記子機は、
前記親機から前記他の子機の個別情報が送られたとき、その個別情報を、ユーザによって前記他の子機のいずれかを選択する際の選択情報として表示する個別情報表示手段をさらに有する、請求項３に記載の電話装置。
【請求項５】
回線を通じて相手先と通信可能な親機と、この親機に接続可能な複数の子機とを備える電話装置であって、
前記子機は、
前記親機から予め送られた、前記子機以外の他の子機の登録情報を記憶する記憶手段と、
前記他の子機と内線通話を行う際、前記記憶手段から読み出した前記他の子機の登録情報を、ユーザによって前記他の子機のいずれかを選択する際の選択情報として表示する表示手段とを有することを特徴とする電話装置。
【請求項６】
前記親機は、
前記他の子機の登録構成を変更する旨の設定入力があった際、前記他の子機の登録情報を前記子機に対して送信する送信手段を有する、請求項５に記載の電話装置。
【請求項７】
前記子機は、
前記送信手段によって前記他の子機の登録情報が前記親機から送られたとき、前記記憶手段に記憶されている内容を前記親機から送られた登録情報に更新する更新手段をさらに有する、請求項６に記載の電話装置。
【発明の詳細な説明】
【０００１】
【発明の属する技術分野】
本発明は、親機と、それに接続可能な複数の子機とを備える電話装置に関し、特に子機間で内線通話を行うときの制御に関する。
【０００２】
【従来の技術】
従来より、公衆電話回線に接続された、いわゆるコードレス電話機には、携帯可能な子機が付属されている。このような電話機においては、子機間同士で内線通話を行うことができるものがある（たとえば、特許文献１参照）。
【０００３】
【特許文献１】
特開平１０−２３５４３号公報
【０００４】
子機間同士で内線通話を行う際には、呼出側の子機において、ユーザが内線通話を行うための操作を施すと、たとえば図７に示すように、ユーザに対して通話対象となる相手側の子機番号の設定入力を促す表示を行う。
【０００５】
ユーザは、この表示に対していずれかの子機の番号を設定入力すると、その情報が親機に送信される。親機では、各子機の登録情報が予め記憶されており、その登録情報と設定入力された相手側の子機の番号とを照合した上で、相手側の子機を呼出す。これにより、呼出側の子機と相手側の子機とは、親機を介して通話を行うことができる。
【０００６】
ところが、設定入力された相手側の子機の番号が未登録の子機の番号である場合、親機では、登録されていないので通話できない旨の拒否コマンドを呼出側の子機に対して送信する。これにより、呼出側の子機では、通話不可である旨のエラー音が鳴動される。
【０００７】
【発明が解決しようとする課題】
上記制御によれば、相手側の子機の番号を設定入力してからエラー音が鳴動される（子機番号が未登録である場合）までの間に、親機に対して子機の登録情報を問い合わせた後、親機で照合した後、親機からの拒否コマンドを受信しているため、ある程度の時間を費やすことになり、相手側の子機の番号を設定入力してからの応答が遅いといった問題点があった。
【０００８】
しかも、通話対象となる相手側の子機番号の設定入力を促す表示（図７参照）には、子機の番号は示されていないため、上記したように、設定入力された子機の番号が未登録の子機の番号であるといったことが生じ、内線通話を行う際の操作性を損なうものであった。
【０００９】
本発明は、上記の点に鑑みて提案されたものであって、子機間における内線通話を行う際に応答性および操作性に優れた電話装置を提供することを目的とする。
【００１０】
【課題を解決するための手段】
上記目的を達成するために、請求項１に記載した発明の電話装置は、回線を通じて相手先と通信可能な親機と、この親機に接続可能な複数の子機とを備える電話装置であって、前記子機は、前記子機以外の他の子機と内線通話を行う際、前記親機に対して前記他の子機の登録情報を要求する要求手段と、前記要求手段による要求に応じて前記親機から送られる前記他の子機の登録情報を、ユーザによって前記他の子機のいずれかを選択する際の選択情報として表示する表示手段とを有することを特徴としている。
【００１１】
このような電話装置によれば、子機が他の子機と内線通話を行う際、まず、他の子機の登録情報が親機から送られ、それらがユーザによって他の子機のいずれかを選択する際の選択情報として表示手段に表示される。そのため、他の子機の登録情報が表示された後、たとえば未登録の他の子機が選択された場合でも、子機において未登録であるか否かの判断が瞬時に行い得、エラー音を即座に鳴動させることができる。すなわち、相手側の子機の設定入力を促す表示を行った後、親機に問い合わせ、親機から送られる拒否コマンドに基づいてエラー音を鳴動させるといった従来の制御に比べ、本願では、他の子機の登録情報を表示させた後、エラー音を瞬時に鳴動させることができるので、応答性に優れた電話装置を提供することができる。また、他の子機の登録情報（たとえば番号）を選択情報として表示し、未登録の他の子機の情報は表示しないので、その表示によって未登録の子機を確実に把握することができ、誤って未登録の他の子機を選択してしまうことを防止することができ、操作性の向上を図ることができる。
【００１２】
また、請求項２に記載した発明の電話装置は、請求項１に記載の電話装置であって、前記子機は、ユーザによって、前記表示手段によって表示された前記他の子機の登録情報の中から前記他の子機の一つを選択入力可能な選択入力手段と、前記親機から送られる前記他の子機の登録情報を参照し、前記選択入力手段によって選択入力された前記他の子機が未登録の子機であるとき、エラーである旨を報知する報知手段とをさらに有する。
【００１３】
このような電話装置によれば、請求項１に記載の電話装置による効果に加え、ユーザの操作によって選択入力された他の子機の番号が未登録の子機の番号である場合は、エラーである旨が音声または／および表示によって即座に報知することができる。
【００１４】
また、請求項３に記載した発明の電話装置は、請求項１または２に記載の電話装置であって、前記親機は、前記子機から前記他の子機の登録情報の要求を受けた際、前記他の子機に対して個別情報を要求する個別情報要求手段と、前記個別情報要求手段による要求に応じて前記他の子機から送られる個別情報を、前記子機に対して送信する送信手段とを有する。ここで、個別情報とは、他の子機の充電時間を表す情報や通信状態を表す情報等をいう。
【００１５】
このような電話装置によれば、請求項１または２に記載の電話装置による効果に加え、上記親機は、他の子機の登録情報以外に、他の子機の個別情報を子機に対して送ることができる。
【００１６】
また、請求項４に記載した発明の電話装置は、請求項３に記載の電話装置であって、前記子機は、前記親機から前記他の子機の個別情報が送られたとき、その個別情報を、ユーザによって前記他の子機のいずれかを選択する際の選択情報として表示する個別情報表示手段をさらに有する。
【００１７】
このような電話装置によれば、請求項３に記載の電話装置による効果に加え、選択情報として、他の子機の登録情報の他に個別情報が表示されるので、ユーザが他の子機のいずれかを選択する際の条件が実質的に広がることになり、より適当な他の子機を選択することができる。
【００１８】
また、請求項５に記載した発明の電話装置は、回線を通じて相手先と通信可能な親機と、この親機に接続可能な複数の子機とを備える電話装置であって、前記子機は、前記親機から予め送られた、前記子機以外の他の子機の登録情報を記憶する記憶手段と、前記他の子機と内線通話を行う際、前記記憶手段から読み出した前記他の子機の登録情報を、ユーザによって前記他の子機のいずれかを選択する際の選択情報として表示する表示手段とを有することを特徴としている。
【００１９】
このような電話装置によれば、他の子機の登録情報は、子機側において予め記憶されているので、子機では、その登録情報を即座に読み出して表示することができる。そのため、たとえば、内線通話を行う際に、親機に対して他の子機の登録情報を取得するためにアクセスする時間を省略することができ、より迅速に他の子機の登録情報を表示させることができる。
【００２０】
また、請求項６に記載した発明の電話装置は、請求項５に記載の電話装置であって、前記親機は、前記他の子機の登録構成を変更する旨の設定入力があった際、前記他の子機の登録情報を前記子機に対して送信する送信手段を有する。
【００２１】
このような電話装置によれば、請求項５に記載の電話装置による効果に加え、親機は、ユーザによって他の子機の登録構成に変更する旨の設定入力がされれば、子機に対して常に最新の他の子機の登録情報を送ることができる。
【００２２】
また、請求項７に記載した発明の電話装置は、請求項６に記載の電話装置であって、前記子機は、前記送信手段によって前記他の子機の登録情報が前記親機から送られたとき、前記記憶手段に記憶されている内容を前記親機から送られた登録情報に更新する更新手段をさらに有する。
【００２３】
このような電話装置によれば、請求項６に記載の電話装置による効果に加え、子機は、親機から送られた他の子機の登録情報を更新するので、常に最新の他の子機に関する登録情報を所有することができる。
【００２４】
【発明の実施の形態】
以下、本発明の好ましい実施の形態について添付図面を参照して説明する。
【００２５】
図１は、本発明に係る電話装置の一例を示す概略ブロック構成図である。この電話装置は、ファクシミリ装置からなる親機１と、この親機１に無線によって通信可能な子機２とを備えて構成されている。なお、説明の便宜上、内線通話において、呼出側の子機２以外の他の子機を「他の子機２Ｂ」という。
【００２６】
親機１は、図示されていないが、たとえばインクジェット方式の印刷機能、画像読取機能（スキャナ機能）、および画像の通信機能等の各機能を複合的に備えたものである。親機１は、たとえばファクシミリデータを送信するときには、画像読取機能を用いて原稿を読み取り、読み取った原稿データを通信機能によって送り先に送信する。また、通信機能によってファクシミリデータを受信したときには、印刷機能を用いてファクシミリデータの内容を所定の記録用紙に印字する。なお、この親機１は、たとえばパーソナルコンピュータに接続された状態で独立した形で印刷装置やスキャナとして利用することもできる。また、印刷機能と画像読取機能とを連動させることで、コピー機として利用することもできる。
【００２７】
親機１は、ＣＰＵ１０、ＮＣＵ１１、ＲＡＭ１２、モデム１３、ＲＯＭ１４、ＮＶＲＡＭ（不揮発性ＲＡＭ：Ｎｏｎ−Ｖｏｌａｔｉｌｅ　ＲＡＭ）１５、ゲートアレイ１６、コーデック１７およびＤＭＡＣ１８を備え、それらは、バス１９により相互に接続されている。バス１９には、アドレスバス、データバスおよび制御信号線が含まれる。また、この親機１では、ゲートアレイ１６に、読取部２１、印刷部２２、操作部２３、表示部２４、コードレス制御部２５、コンパンダ２６、および無線モジュール２７が接続されて具備されている。ＮＣＵ１１には、公衆電話回線２８が接続されている。コードレス制御部２５には、ＥＥＰＲＯＭ２９およびコンパンダ２６が接続されている。無線モジュール２７は、コンパンダ２６およびコードレス制御部２５に接続されている。また、親機１には、図示しないマイクロフォンやスピーカを内蔵したハンドセットが接続されている。
【００２８】
ＣＰＵ１０は、親機１全体の動作を制御するものである。ＮＣＵ１１は、公衆電話回線２８に接続されることにより網制御を行うものである。ＲＡＭ１２は、ＣＰＵ１０の作業領域等を提供するものである。モデム１３は、音声データやファクシミリデータの変調や復調等を行うものである。ＲＯＭ１４は、ＣＰＵ１０が実行すべきプログラム等を記憶するものである。ＮＶＲＡＭ１５は、データや各種の情報を記憶するものである。
【００２９】
ゲートアレイ１６は、ＣＰＵ１０と各部２１〜２７とのインターフェイスとして機能するものである。コーデック１７は、音声信号やファクシミリデータ等の符号化や復号化を行うものである。ＤＭＡＣ１８は、主にＲＡＭ１２へのデータの書き込みや読み出しを行うものである。
【００３０】
読取部２１は、たとえばイメージセンサ、ＬＥＤ光源、および原稿送りモータ（いずれも図示せず）等を備え、ＣＰＵ１０の制御に応じてファクシミリ原稿等からイメージ画像を読み取るものである。
【００３１】
印刷部２２は、感熱方式等により文字や図形等の画像をモノクロまたはカラーで印刷するものである。
【００３２】
操作部２３は、図２に示すように、ダイヤルキー２３Ａ、ジョグダイヤルキー２３Ｂ、その他の操作キー等を備え、ユーザのキー操作による入力信号をＣＰＵ１０に伝えるものである。
【００３３】
表示部２４は、同じく図２に示すように、たとえば液晶ディスプレイパネル２４Ａを備え、この液晶ディスプレイパネル２４Ａに動作状態や操作ガイダンス等を表示するものである。
【００３４】
無線モジュール２７は、図示しないアンテナを備え、制御チャネルや通話チャネルを用いて各子機２との間で音声信号や各種のデータのやり取りを行う。
【００３５】
コンパンダ２６は、子機２から無線モジュール２７を介して送られる音声信号およびデータ信号を切り分けて、音声信号をＣＰＵ１０側に、データ信号をコードレス制御部２５側に送るものである。また、逆にＣＰＵ１０側からの音声信号やデータ信号を無線モジュール２７に送るものである。
【００３６】
コードレス制御部２５は、子機２との通信に関する制御を行うものであり、ＥＥＰＲＯＭ２９は、コードレス制御部２５によって制御され、たとえば子機２の台数や増設された子機２のＩＤ番号等を記憶するためのものである。
【００３７】
子機２は、たとえば住宅内において親機１が設置された部屋とは異なる部屋等に仮設置される。子機２は、図１に示すように、制御部４１、ＲＯＭ４２、ＲＡＭ４３、およびＥＥＰＲＯＭ４４等が備えられ、これらは互いにバス４５によって接続されている。制御部４１には、無線モジュール４６、コンパンダ４７、操作部４８および表示部４９が接続されている。無線モジュール４６は、コンパンダ４７が接続されている。また、コンパンダ４７には、スピーカ５１およびマイクロフォン５２が接続されている。
【００３８】
制御部４１は、子機２の全体動作を制御するものである。ＲＯＭ４２は、制御部４１が実行すべきプログラム等を記憶するものである。ＲＡＭ４３は、制御部４１の作業領域等を提供するものである。ＥＥＰＲＯＭ４４は、データや各種の情報を記憶するものであり、特に、他の子機２Ｂの登録情報、すなわち登録されている他の子機２の番号を記憶する。
【００３９】
操作部４８は、図３に示すように、ダイヤルキー４８Ａ、セレクトキー４８Ｂ、およびその他の操作キー等を備え、ユーザの操作に応じた入力信号を制御部４１に伝えるものである。
【００４０】
表示部４９は、同じく図３に示すように、たとえば液晶ディスプレイパネル４９Ａを備え、この液晶ディスプレイパネル４９Ａに動作状態や操作ガイダンス等を表示するものである。
【００４１】
無線モジュール４６は、図示しないアンテナを備え、制御チャネルや通話チャネルを用いて親機１や他の子機２Ｂとの間で音声信号や各種のデータのやり取りを行う。
【００４２】
コンパンダ４７は、親機１から無線モジュール４６を介して送られる音声信号およびデータ信号を切り分けて、音声信号をスピーカ５１に、データ信号を制御部４１に送るものである。また、マイクロフォン５２からの音声信号や制御部４１からのデータ信号を無線モジュール４６に送るものである。
【００４３】
スピーカ５１およびマイクロフォン５２は、これらによって、親機１や他の子機２Ｂとの間で通話が可能なようにされるものである。
【００４４】
次に、この構成における上記電話装置の制御動作を、図４に示すフローチャートを参照して説明する。
【００４５】
まず、子機２の制御部４１は、ユーザによって操作部４８のセレクトキー４８Ｂを用いて内線通話を行う旨の操作がされるか否かを判別し（Ｓ１）、内線通話を行う旨の操作がされた場合（Ｓ１：ＹＥＳ）、親機１とリンク接続するために、親機１に対して接続要求コマンドを送信する（Ｓ２）。
【００４６】
次いで、制御部４１は、親機１から送られる通話チャネルの指定コマンドを受信したか否かを判別し（Ｓ３）、通話チャネルの指定コマンドを受信した場合（Ｓ３：ＹＥＳ）、親機１に対して内線通話要求コマンドを送信する（Ｓ４）。この内線通話要求コマンドには、他の子機２Ｂの登録情報を要求する旨の内容が含まれている。
【００４７】
制御部４１は、この内線通話要求コマンドに応答して送られる、他の子機２Ｂの登録情報を受信したか否かを判別し（Ｓ５）、他の子機２Ｂの登録情報を受信した場合（Ｓ５：ＹＥＳ）、それらを一旦、ＥＥＰＲＯＭ４４に記憶させる。
【００４８】
そして、他の子機２Ｂの登録情報をＥＥＰＲＯＭ４４から読み出し、図５に示すように、表示部４９の液晶ディスプレイパネル４９Ａに、ユーザによって選択すべき他の子機２Ｂの登録情報を表示する（Ｓ６）。図５によると、子機番号「１」、子機番号「２」、および子機番号「４」の各子機２が、登録されている子機２として表示され、未登録の子機２の情報は非表示とされる。ユーザは、この子機２の登録情報画面から任意の子機２を選択することができる。
【００４９】
なお、この場合、登録されている各他の子機２Ｂの表示とともに、各他の子機２Ｂの設置されている場所（たとえば、居間、台所等）を表示するようにしてもよい。このようにすれば、他の子機２Ｂが設置された場所を特定して内線通話を行うことができる。
【００５０】
このように、他の子機２Ｂの登録情報を選択情報として表示するので、ユーザは、その表示によって未登録の子機を確実に把握することができる。また、この場合、未登録の他の子機２Ｂの情報は表示されないので、誤って未登録の他の子機２を選択してしまうことを防止することができ、操作性の向上を図ることができる。
【００５１】
制御部４１は、いずれかの他の子機２Ｂが選択されたか否かを判別し（Ｓ７）、いずれかの他の子機２Ｂが選択された場合（Ｓ７：ＹＥＳ）、選択された他の子機２Ｂが既に登録されている子機２であるか否かを判別する（Ｓ８）。ここで、誤って、選択された他の子機２Ｂが未登録の子機である場合（Ｓ８：ＹＥＳ）、エラー音をスピーカ５１から鳴動させ（Ｓ９）、その後、ステップＳ６の選択入力画面の表示に戻る。なお、このとき、エラーである旨を表示部４９に表示させてもよい。
【００５２】
このように、子機２が他の子機２Ｂと内線通話を行う際、まず、他の子機２Ｂの登録情報が親機１から送られ、それらがユーザによって他の子機２Ｂのいずれかを選択する際の選択情報として表示部４９に表示される。そのため、他の子機２Ｂの登録情報が表示された後、たとえば未登録の他の子機が選択された場合でも、子機２において未登録であるか否かの判断が瞬時に行い得、エラー音を鳴動させることができる。すなわち、相手側の子機２Ｂの設定入力を促す表示を行った後、親機１に問い合わせ、親機１から送られる拒否コマンドに基づいてエラー音を鳴動させるといった従来の制御に比べ、本願では、他の子機２Ｂの登録情報を表示させた後、エラー音を瞬時に鳴動させることができるので、応答性に優れた電話装置を提供することができる。
【００５３】
また、ステップＳ８において、選択された他の子機２Ｂが既に登録されている子機２である場合（Ｓ８：ＮＯ）、通話実行コマンドを親機１に送る（Ｓ１０）。これにより、他の子機２との通話が開始される（Ｓ１１）。
【００５４】
なお、上記制御動作では、子機２の登録情報は、その時点で登録されている子機２を示した情報であるが、その時点における他の子機２Ｂの充電状態や他の子機２Ｂの親機１との通信状態等の個別情報を、子機２の表示部４９に、選択情報として表示してもよい。
【００５５】
すなわち、図４に示した制御動作において、ステップＳ４の内線通話要求コマンドを送信する際、内線通話要求コマンドには、他の子機２Ｂの登録情報とともに個別情報をも要求する旨の内容を含ませる。
【００５６】
この内線通話要求コマンドを受信した親機１は、図示しないが、他の子機２Ｂに対して個別情報を要求する個別情報要求コマンドを送信する。その個別情報要求コマンドを受信した他の子機２Ｂは、個別情報要求コマンドによる要求に応じて親機１に対して、その時点における充電状態や親機１との通信状態等の個別情報をデータとして送る。この個別情報を受信した親機１は、子機２に対して他の子機２Ｂの登録情報とともに個別情報を送信する。
【００５７】
子機２の制御部４１は、図４に示すステップＳ５において、内線通話要求コマンドに応答して送られる、他の子機２Ｂの登録情報を受信したか否かを判別する際、他の子機２Ｂの個別情報を受信したか否かを判別し、この個別情報を受信した場合（Ｓ５：ＹＥＳ）、一旦、ＥＥＰＲＯＭ４４にそれらを記憶させる。
【００５８】
そして、その個別情報は、ユーザの操作部４８による操作に基づいて、表示部４９に他の子機２Ｂの選択情報として表示される（Ｓ６）。これにより、ユーザは、各他の子機２Ｂの個別情報を把握することができるとともに、個別情報の表示により、他の子機２Ｂのいずれかを選択する際の条件が実質的に広がることになり、その時点で最も適した子機２Ｂを選択することができる。
【００５９】
次に、上記電話装置の他の制御動作を、図６に示すフローチャートを参照して説明する。この制御動作では、他の子機２Ｂの登録情報が予め子機２に記憶されている場合を示す。
【００６０】
まず、子機２の制御部４１は、操作部４８のセレクトキー４８Ｂによって、内線通話を行う旨の操作がされるか否かを判別し（Ｓ２１）、内線通話を行う旨の操作がされた場合（Ｓ２１：ＹＥＳ）、ＥＥＰＲＯＭ４４に予め記憶されている各子機２の登録情報を読み出す（Ｓ２２）。
【００６１】
制御部４１は、ＥＥＰＲＯＭ４４から読み出された各子機２の登録情報に基づいて、図５に示したように、表示部４９の液晶ディスプレイパネル４９Ａに、選択すべき子機２の登録情報を表示する（Ｓ２３）。この場合、表示される子機２の登録情報には、未登録の子機２の情報は非表示とされる。
【００６２】
このように、他の子機２Ｂの登録情報は、子機２側において予め記憶されているので、子機２では、その登録情報を即座に読み出して表示することができる。そのため、内線通話を行う際、親機１に対して他の子機２Ｂの登録情報を取得するためにアクセスする時間を省略することができ、より迅速に他の子機２Ｂの登録情報を表示させることができる。
【００６３】
次いで、制御部４１は、ユーザによって操作部４８のダイヤルキー４８Ａを用いて、いずれかの子機２の選択入力が操作されたか否かの判別を行う（Ｓ２４）。以下のステップＳ２５〜Ｓ２８の処理については、図４に示すステップＳ８〜Ｓ１１の処理と同様であるので、説明を省略する。
【００６４】
なお、子機２のＥＥＰＲＯＭ４４に予め記憶される他の子機２Ｂの登録情報は、他の子機２Ｂの登録構成に変更があった時点で更新されるようになっている。すなわち、他の子機２Ｂが新たに増設されたり、あるいは削減されたりしたときには、ユーザは、親機１において、他の子機２Ｂの登録を変更する旨の設定入力を行う。
【００６５】
この設定入力があれば、親機１は、他の子機２Ｂの変更後の登録情報を子機２に対して送信する。親機１から上記登録情報を送られた子機２は、ＥＥＰＲＯＭ４４に記憶されていた内容を、親機１から送られた登録情報に書き換える。このように、親機１は、子機２に対して常に最新の他の子機２Ｂの登録情報を送ることができ、また、子機２は、親機１から送られた他の子機２Ｂの登録情報を更新することにより、常に最新の他の子機２Ｂに関する登録情報を所有することができる。
【００６６】
また、上記制御処理においても、他の子機２Ｂの個別情報を表示させようとするときには、親機１に対してその旨のコマンドを送り、親機１からの他の子機２Ｂの個別情報を表示するようにしてもよい。
【００６７】
なお、本願発明は、上記実施形態に限定されるものではない。たとえば、親機１および子機２の内部構成は、図１に示した構成に限らない。また、子機２の表示部４９に表示されるメッセージの内容は、図５に示したものに限定されるものではない。
【００６８】
【発明の効果】
以上説明したように、請求項１に記載した発明の電話装置によれば、子機が他の子機と内線通話を行う際、まず、他の子機の登録情報が親機から送られ、それらがユーザによって他の子機のいずれかを選択する際の選択情報として表示手段に表示される。そのため、他の子機の登録情報が表示された後、たとえば未登録の他の子機が選択された場合でも、子機において未登録であるか否かの判断が瞬時に行い得、エラー音を即座に鳴動させることができる。すなわち、相手側の子機の設定入力を促す表示を行った後、親機に問い合わせ、親機から送られる拒否コマンドに基づいてエラー音を鳴動させるといった従来の制御に比べ、本願では、他の子機の登録情報を表示させた後、エラー音を瞬時に鳴動させることができるので、応答性に優れた電話装置を提供することができる。また、他の子機の登録情報（たとえば番号）を選択情報として表示し、未登録の他の子機の情報は表示しないので、その表示によって未登録の子機を確実に把握することができ、誤って未登録の他の子機を選択してしまうことを防止することができ、操作性の向上を図ることができる。
【００６９】
また、請求項２に記載した発明の電話装置によれば、請求項１に記載の電話装置による効果に加え、ユーザの操作によって選択入力された他の子機の番号が未登録の子機の番号である場合は、エラーである旨が音声または／および表示によって即座に報知することができる。
【００７０】
さらに、請求項３に記載した発明の電話装置によれば、請求項１または２に記載の電話装置による効果に加え、上記親機は、他の子機の登録情報以外に、他の子機の個別情報を子機に対して送ることができる。
【００７１】
さらに、請求項４に記載した発明の電話装置によれば、請求項３に記載の電話装置による効果に加え、選択情報として、他の子機の登録情報の他に個別情報が表示されるので、ユーザが他の子機のいずれかを選択する際の条件が実質的に広がることになり、より適当な他の子機を選択することができる。
【００７２】
また、請求項５に記載した発明の電話装置によれば、他の子機の登録情報は、子機側において予め記憶されているので、子機では、その登録情報を即座に読み出して表示することができる。そのため、たとえば、内線通話を行う際に、親機に対して他の子機の登録情報を取得するためにアクセスする時間を省略することができ、より迅速に他の子機の登録情報を表示させることができる。
【００７３】
さらに、請求項６に記載した発明の電話装置によれば、請求項５に記載の電話装置による効果に加え、親機は、ユーザによって他の子機の登録構成に変更する旨の設定入力がされれば、子機に対して常に最新の他の子機の登録情報を送ることができる。
【００７４】
さらに、請求項７に記載した発明の電話装置によれば、請求項６に記載の電話装置による効果に加え、子機は、親機から送られた他の子機の登録情報を更新するので、常に最新の他の子機に関する登録情報を所有することができる。
【図面の簡単な説明】
【図１】本発明に係る電話装置の概略ブロック構成図である。
【図２】親機のパネル面を示す図である。
【図３】子機の外観図である。
【図４】子機の制御動作を示すフローチャートである。
【図５】子機の表示部における表示画面の一例を示す図である。
【図６】子機の他の制御動作を示すフローチャートである。
【図７】従来の、子機の表示部における表示画面の一例を示す図である。
【符号の説明】
１　　ファクシミリ装置（親機）
２　　子機
２Ｂ　他の子機
２５　　コードレス制御部
２８　　公衆電話回線
４１　　制御部
４９　　表示部（子機の）
４９Ａ　液晶ディスプレイパネル（子機の）
【図１】
2004120209.tif 000003
【図２】
2004120209.tif 000004
【図３】
2004120209.tif 000005
【図４】
2004120209.tif 000006
【図５】
2004120209.tif 000007
【図６】
2004120209.tif 000008
【図７】
2004120209.tif 000009